(57)【要約】【課題】表示幕がスクロールしている間の広告効果の低下を抑制する幕式表示装置を提供する。【解決手段】複数の表示領域が連続する帯状に構成された表示幕と、装置本体２に刳り抜かれた枠部５に嵌め込まれ前記表示幕を視認可能とする透明板６と、軸まわりに表示幕を巻き取って表示領域を移動させるモーターと、モーターを制御する制御装置と、透光性を有し絵や文字の印刷された広告板４２を装置本体２に内蔵する副照明部の光で照らし出す発光表示部４０とを具備し、表示幕の表示領域を切り替える時など、表示領域の視認性が低下する時にも発光表示部４０の発光表示を継続する幕式表示装置。【選択図】図１
2012068360.tif 000002
【特許請求の範囲】
【請求項１】
帯状を呈し、長手方向に並ぶ複数の表示領域を有する表示幕と、
該表示幕の一端が取着され、軸心周りに回転して前記表示幕を巻取り可能な巻取軸と、
該巻取軸を回転駆動する駆動手段と、
該駆動手段の回転駆動を制御する制御装置と、
前記表示幕、前記巻取軸、前記駆動手段、及び前記制御手段を収容する筐体と、
前記筐体に設けられ、前記複数の表示領域の一部を外部から視認可能とする表示窓と、
前記筐体に設けられ、所定の表示態様を発光表示する発光表示部と
を具備することを特徴とする幕式表示装置。
【発明の詳細な説明】
【技術分野】
【０００１】
本発明は、複数の表示物が載せられた帯状の表示幕を巻き取り又は折り返しすることにより所定表示物を表示する幕式表示装置に関する。
【背景技術】
【０００２】
従来、複数の広告が印刷された表示幕を例えばモータ等で巻き取ることによって所定の広告を表示することにより、周囲に対して広告表示を行う幕式表示装置がある。この種の幕式表示装置は、有端の表示幕が巻取軸に取り付けられており、モータ等によって巻取軸を駆動し回転させて表示幕を巻取軸に巻き、表示幕の表示を変更する（例えば、特許文献１を参照）。
【０００３】
この種の幕式表示装置においては、表示幕が巻取軸に巻かれるにつれ表示幕が巻取り方向にスクロールして広告の位置が進む。そして、表示すべき広告が所定の表示位置に進んだら巻取り動作を停止し、次に表示幕の表示を変更するまでの間、停止した状態で当該広告を表示し続ける。
【先行技術文献】
【特許文献】
【０００４】
【特許文献１】特開２００４−４７７６号公報
【発明の概要】
【発明が解決しようとする課題】
【０００５】
しかし、特許文献１の幕式表示装置によれば、表示すべき広告を変更するために表示幕がスクロールしている間は、広告が部分的にしか表示されないために何の広告をしているのかわからなくなる。表示幕がスクロールしている時には通行人等が広告内容を認識しないまま通過してしまいやすいため、幕式表示装置の稼働時間の内、表示幕のスクロールに要する時間については広告効果が低下してしまう虞があった。
【０００６】
上記の実情を鑑み、本発明は、表示幕がスクロールしている最中にも広告効果の低下を抑制する幕式表示装置を提供することを目的とする。
【課題を解決するための手段】
【０００７】
本発明の幕式表示装置は、「帯状を呈し、長手方向に並ぶ複数の表示領域を有する表示幕と、該表示幕の一端が取着され、軸心周りに回転して前記表示幕を巻取り可能な巻取軸と、該巻取軸を回転駆動する駆動手段と、該駆動手段の回転駆動を制御する制御装置と、前記表示幕、前記巻取軸、前記駆動手段、及び前記制御手段を収容する筐体と、前記筐体に設けられ、前記複数の表示領域の一部を外部から視認可能とする表示窓と、前記筐体に設けられ、所定の表示態様を発光表示する発光表示部とを具備する」ことを特徴とする。
【０００８】
ここで、「発光表示」とは、光源が放射する光を利用して文字や図像を表示することを意味する。発光表示を行う発光表示部の例として、透光性を有する樹脂板やフィルムに対して背面側から蛍光灯等のバックライトで光を照射し、樹脂板やフィルムに印刷された絵や文字を照らし出す内照式表示器、多数の電球やＬＥＤを並べて絵や文字の形を構成したドット式表示器、ネオン管や冷陰極管によって絵や文字の形を構成した蛍光式表示器等を挙げることができる。また、ＬＥＤを縦横に規則的に並べたドットマトリクス式表示器や液晶表示器を用いてもよい。
【０００９】
本発明の幕式表示装置によれば、表示幕による表示領域の表示と、発光表示部の発光表示とを同時に行うことが可能である。また、表示幕のスクロール中にも発光表示部による発光表示の表示態様は視認可能である。従って、通行人等の観者が幕式表示装置を見たときに、表示領域を切り替え途中であって表示内容を把握しづらい状態であったとしても、発光表示部の表示内容を認識可能であるので、広告効果が低下する虞を抑制することができる。
【発明の効果】
【００１０】
以上のように、本発明の幕式表示装置によれば、表示幕がスクロールしている最中にも発光表示部が所定の表示態様を表示していることにより、広告効果の低下を抑制することができる。
【図面の簡単な説明】
【００１１】
【図１】本発明の一実施形態である幕式表示装置を左前方から示す斜視図。
【図２】幕式表示装置の六面図。
【図３】前面フレームを取り除いた幕式表示装置の全体を示す斜視図。
【図４】幕式表示装置の内部構成を示す平断面図。
【図５】複数の表示部からなる帯状の表示幕の概略を示す概念図。
【図６】幕式表示装置の制御の概略を示す説明図。
【図７】幕式表示装置の表示幕の使用中の状態を示す説明図。
【図８】幕式表示装置の第二の実施形態を示す斜視図。
【図９】幕式表示装置の第三の実施形態を示す斜視図。
【図１０】幕式表示装置の第四の実施形態を示す斜視図。
【図１１】幕式表示装置の第五の実施形態を示す斜視図。
【図１２】幕式表示装置の第六の実施形態を示す斜視図。
【図１３】幕式表示装置の第七の実施形態を示す斜視図。
【図１４】幕式表示装置の第八の実施形態を示す斜視図。
【図１５】幕式表示装置の第九の実施形態を示す斜視図。
【発明を実施するための形態】
【００１２】
以下、本発明の幕式表示装置の一実施形態である幕式表示装置１について、図１〜図７に基き説明する。図１は、幕式表示装置を左前方から示した斜視図であり、図２は、幕式表示装置の六面図であり、図３は、前面フレームを取り除いた幕式表示装置の全体を示す斜視図であり、図４は、幕式表示装置の内部機構を示す説明図である。図５は、複数の表示部からなる帯状の表示幕を概略的に示す説明図であり、図６は、幕式表示装置の制御の概略を示す説明図であり、図７（ａ）〜（ｃ）は、幕式表示装置の表示幕の使用中の状態を示す説明図である。
【００１３】
図１及び図２に示すように、幕式表示装置１において中央フレーム２５の前面には、前面蓋として前面フレーム３が着脱可能に取り付けられている。一方、中央フレーム２５の後面にも、前面と同様のフレームとして後面フレーム４が着脱可能に取り付けられている。装置本体２は、中央フレーム２５に前面フレーム３及び後面フレーム４が組み合わせられて構成され、底面側にキャスターの付いた台座部３０の上に直立するように設けられている。上記のフレーム３，４は、上下左右の４辺の縁を除いた部分が刳り抜かれた形状をとり、この刳り抜き部分である枠部５に嵌め込まれた透明板６から幕式表示装置１の広告として表示幕７（図３参照）が外部に露出する。図２における斜線部分が、透明板６に相当しており、透明な樹脂製である。即ち、本例の幕式表示装置１は、装置本体２の前面及び後面の両方において表示幕７の広告を表示可能な両面表示式となっている。ここで、装置本体２が、本発明の「筐体」に相当し、枠部５と透明板６とを組み合わせたものが、本発明の「表示窓」に相当する。
【００１４】
前面フレーム３及び後面フレーム４には、夫々の枠部５よりも上方に副表示枠部４１が枠部５と同様に長方形に刳り抜かれた形状で設けられており、副表示枠部４１には広告板４２が嵌め込まれて発光表示部４０が構成されている。広告板４２は透光性を有する樹脂製であり、表面に広告表示の印刷が施されている。
【００１５】
図３及び図４に示すように、装置本体２の内部には、表示幕７の各々の終端の巻き付け先として一対の巻き取り軸１０，１１が回動可能に取り付けられている。表示幕７は、これら巻き取り軸１０，１１に対して幕を外側から内側に向かって巻く方向、即ち内巻き方向で巻かれている。また、表示幕７の巻き取り経路上には、表示幕７を裏面側から押してこれを張設する一対の保持用軸１２，１３が回動可能に取り付けられている。これら軸１０〜１３は、長細い円柱形状をとるとともに、回動軸心が装置本体２の高さ方向（図３及び図４の矢印Ｚ方向）に沿う向き、即ち縦向きに取り付けられている。また、巻き取り軸１０，１１は、装置本体２の幅方向（図３及び図４の矢印Ｙ方向）において同じ側の端部に配置され、しかもこの幅方向において同じ位置に並んだ状態で配置されている。なお、本例は、前面側巻き取り軸を１０とし、後面側巻き取り軸を１１とする。ここで、軸１０，１１が、本発明の「巻取軸」に相当する。
【００１６】
一方、保持用軸１２，１３は、装置本体２の幅方向において巻き取り軸１０，１１と反対側の端部に配置されている。保持用軸１２，１３は、巻き取り軸１０，１１と平行する向きに取り付けられ、装置本体２の幅方向において同じ位置に並んだ状態で配置されている。なお、本例は、前面側保持用軸を１２とし、後面側保持用軸を１３とする。これら保持用軸１２，１３は、装置本体２の奥行き方向（図３及び図４の矢印Ｘ方向）において、前面側保持用軸１２が前面側巻き取り軸１０と同じ位置に並び、後面側保持用軸１３が後面側巻き取り軸１１と同じ位置に並んでいる。軸１０〜１３は、図５に示すように、平面視において装置本体２の四隅に位置する配置状態をとっている。
【００１７】
図３に示すように、巻き取り軸１０，１１の各々の下方位置には、これら巻き取り軸１０，１１の各々の回動駆動源としてモータ１４，１５（図４参照）が取り付けられている。即ち、巻き取り軸１０，１１は表示幕７の巻き取り時における駆動軸として働き、保持用軸１２，１３はこれに連れ回りする従動軸として働く。なお、本例は、前面側モータを１４とし、後面側モータを１５とする。これらモータ１４，１５は、それぞれ複数のギア及びタイミングベルト（図示は省略する）を介して巻き取り軸１０，１１に連結されている。また、モータ１４，１５は、ＡＣモータが使用されるとともに、装置本体２に対して縦向きに取り付けられている。本例の場合、前面側モータ１４が停止状態のままで後面側モータ１５が駆動状態（例えば、正転）をとると、表示幕７が一方向（図５のＫ１方向）に巻き取られ、後面側モータ１５が停止状態のままで前面側モータ１４が駆動状態（例えば、逆転）をとると、表示幕７が他方向（図５のＫ２方向）に巻き取られる。なお、モータ１４，１５が本発明の駆動手段に相当する。
【００１８】
図３及び図４に示すように、装置本体２の内部において表示幕７の内側には、光透過部材からなるこの表示幕７を裏面側から照明する照明部２２が設けられている。本例の照明部２２は、例えば蛍光灯が使用されるとともに、この蛍光灯を縦向きに２本配置した構成がとられている。この照明部２２が点灯状態をとると、表示幕７が裏面側から明るく照らし出される状態をとり、幕式表示装置１の周囲が暗い場合であっても、表示幕７の広告が視認可能となる。
【００１９】
図１及び図２に示すように、前面フレーム３の下部には横開きの開閉扉２３が設けられている。開閉扉２３を開けた位置には、幕式表示装置１の操作系として各種スイッチ及びダイヤル等を備えた操作部２７（図６参照）が設けられている。操作部２７は、幕式表示装置１の主電源のオンオフを切り換える際に操作する電源スイッチ、表示幕７の巻き取りを手動操作する際に操作する手動幕送りスイッチ、照明部２２の電源をオンオフする際に操作する照明スイッチ、表示幕７の自動送りの運転／停止を操作する自動幕送りスイッチ、表示幕７の停止時間を手動で調整可能な停止時間設定ダイヤルからなる。これらスイッチ類による幕式表示装置１の設定操作（動作切り換え操作）は、図１に示す電源ケーブル２９を、商用電源等の電源プラグ（図示は省略する）に挿し込んで、幕式表示装置１が商用電源の電力を得ている際に可能となっている。なお、図２以下における電源ケーブル２９の図示は省略している。
【００２０】
図５に示すように、表示幕７は、ひとつひとつが１広告物（広告単位）をなす略四角形状の単位表示幕Ｓを複数枚（本例は１０コマ）順番に貼り合わせることにより、一枚の長い帯として形成されている。これら単位表示幕Ｓ１，Ｓ２…は、前面フレーム３及び後面フレーム４の透明板６の大きさに合わせた広告（文字、絵柄等）が印刷され、各々の端縁をテープ（接着剤）等で接着することにより１枚に連結されている。表示幕７は、連続する２コマの単位表示幕Ｓ，Ｓが前面フレーム３の前面透明板６ａと後面フレーム４の後面透明板６ｂとから広告として表示される。そして、モータ１４，１５により表示幕７を巻き取って透明板６ａ，６ｂに位置する単位表示幕Ｓ，Ｓを切り換えることにより、これら透明板６ａ，６ｂで表示される広告内容が変更される。
【００２１】
図６に示すように、幕式表示装置１には、この幕式表示装置１のコントロールユニットとして制御装置３２が設けられている。この制御装置３２には、同制御装置３２を統括制御するＣＰＵ（Central Processing Unit）３３や、表示幕７の巻き取りの制御プログラムが記憶されたＲＯＭ（Read Only Memory）３４等が設けられている。ＣＰＵ３３は、幕式表示装置１を操作するために用いられる操作部２７に接続され、操作部２７からの信号を受信するＩ／Ｏ部２８に接続されるとともに、ＣＰＵ３３からの指令信号をモータ駆動用の電圧に変換するモータ駆動回路３６を介してモータ１４，１５に接続されている。ＣＰＵ３３は、モータ１４，１５のうち巻き取り側のものを定速回転させて表示幕７の巻き取り動作を実行する。また、これら回路素子群は、表示幕７の下方に収納された横向き配置の基板３７（図３参照）に実装されている。
【００２２】
図３に示すように、装置本体２の内部において発光表示部４０の内側には、光透過部材からなる広告板４２を裏面側から照明する副照明部４３が設けられている。本例の副照明部４３は、蛍光灯を横向きに１本配置した構成がとられている。この副照明部４３が点灯状態をとると、広告板４２が裏面側から明るく照らし出される状態をとり、幕式表示装置１の周囲が暗い場合であっても、広告板４２の広告が視認可能となる。広告板４２は平面的な樹脂製板であり、前面フレーム３及び後面フレーム４に窓状に刳り抜かれた副表示枠部４１に嵌め込まれ、前面フレーム３及び後面フレーム４の表面と面一になる。同様に透明板６もまた前面フレーム３及び後面フレーム４の表面と面一に構成されており、透明板６を透過して見える表示幕７及び発光表示部４０の広告等が、表面が滑らかな直方体柱状である装置本体２の表面上に表示されるような外観を呈する。
【００２３】
幕式表示装置１を使用する際には、上述のように表示幕７を巻き取って単位表示幕Ｓを切り替えて表示する。この際、照明部２２及び副照明部４３を発光させ、表示幕７及び広告板４２は光を透過して明るく照らし出される。
【００２４】
ところで、図７に示すように、表示幕７が巻き取られる動作途中には、表示幕７が移動途中であって単位表示幕Ｓ１，Ｓ２の表示が見えにくくなるときがある。図７（ａ）に示す状態においては、透明板６を通してＳ１に記された「Ａ」という文字が明瞭に視認される。また、図７（ｂ）に示す状態においては、同様にＳ２の「Ｂ」という文字が明瞭に視認される。しかし、図７（ｃ）のように、Ｓ１からＳ２に変更する途中の状態においては、Ｓ１の表示内容は「Ａ」の一部であるのか、それとも他のマークや文字の一部なのか判別不能である。また、Ｓ２の表示内容は「Ｂ」なのか「Ｅ」なのか、あるいは「日」という漢字の一部であるのか判別できない。このような移動途中の状態でも、発光表示部４０の表示態様は視認可能な状態であり、幕式表示装置１の広告効果が失われることを防ぐ。
【００２５】
以上のように、本発明の実施形態である幕式表示装置１によれば、表示幕７が巻き取られる動作途中であって単位表示幕Ｓが見えにくくなっているときにおいても発光表示部４０の広告が表示され続けていることにより、幕式表示装置１の動作中に広告内容が全くわからなくなる事態を防ぎ、広告機能の低下を抑制する。
【００２６】
また、幕式表示装置１は、透明板６及び広告板４２がいずれも装置本体２に窓状に設けられ、外観上一体的に構成されているので、表示幕７の表示と広告板４２の表示との間の関連性が認識されやすい。また、表示幕７の切り替え中で透明板６を通して見える広告内容がわからない場合には、スムーズに広告板４２に観者の注意を向けさせることができる。これにより、例えば、広告板４２に店名及び業種を示し、表示幕７の各単位表示幕Ｓには店で提供するサービスや商品の案内を示すようにすると、単位表示幕Ｓに示されたサービス等が認識できない場合にも、店名及び業種を認識可能とすることができる。また、店名とサービスや商品とが関連付けて認識されるようにすることができる。
【００２７】
さらに、幕式表示装置１によれば、表示幕７の駆動部や照明部２２に不具合が生じた場合にも、発光表示部４０を利用して広告表示を継続することができる。
【００２８】
次に、図８〜図１２に基いて、本発明の幕式表示装置の他の実施形態について説明する。図８〜図１２に示す実施形態において、幕式表示装置１と実質的に共通する構成については第一の実施形態と同じ符号を用いて示す。また、内部構造についての詳細な説明は省略する。発光表示部の広告内容などの表示態様についても詳細な表示は省略する。各図中の斜線で示した部分は、いずれも樹脂またはガラス等の透明な材質で形成されている。また、各実施形態の発光表示部は、いずれも透光性を有する素材で形成されている。
【００２９】
図８は、第二の実施形態である幕式表示装置２０１の斜視図及び該斜視図に対応する六面図である。幕式表示装置２０１によれば、第一の実施形態と大部分が共通した構成であって、第一の実施形態と同様の効果を奏する。さらに、幕式表示装置２０１においては、発光表示部２４０が相対的に大きく構成されており、例えば、発光表示部２４０に店名やロゴマークなどを表示した際に表示内容をより認識しやすくすることができるので、表示幕による表示を発光表示部２４０の補助的に使用する場合に好適である。
【００３０】
図９は、第三の実施形態である幕式表示装置３０１の斜視図及び該斜視図に対応する六面図である。幕式表示装置３０１によれば、第一の実施形態と大部分が共通した構成であって、第一の実施形態と同様の効果を奏する。さらに、幕式表示装置３０１においては、副表示枠部３４１は、装置本体３０２の前面３５０から面取り部３５１にかけて刳り抜いて設けられている。面取り部３５１は、幕式表示装置３０１の前面３５０から側面３５２の境界となる角部を滑らかにつなぐように前面から側面へと回り込む形状である。本例においては面取り部３５１は曲面で構成されているが、装置本体の角部を斜めに削ぎ落としたような平面的な面取り形状であってもよい。発光表示部３４０の広告板３４２は、装置本体３０２を刳り抜いて形成された副表示枠部３４１に嵌合し、装置本体３０２に取り付けた際に装置本体３０２の表面と面一となる立体的な形状に形成されている。これにより、発光表示部３４０は装置本体３０２の面取り部３５０までわたる幅広な外観を呈し、発光表示部３４０の視認性を高めるとともに、幕式表示装置３０１の外観に意匠性を高める。
【００３１】
図１０は、第四の実施形態である幕式表示装置４０１の斜視図及び該斜視図に対応する六面図である。幕式表示装置４０１によれば、第一の実施形態と大部分が共通した構成であって、第一の実施形態と同様の効果を奏する。さらに、幕式表示装置４０１においては、透光性部材４４２は略楕円形を呈している。縦長の長方形を呈する透明板６に対し、発光表示部４４０はより小さな略楕円形を呈しており、両者の大きさ及び形状が相違することで、表示内容に階層を設け、表示幕の表示内容を強調する効果が得られる。例えば、発光表示部４４０にテナントビルの名前を表示し、表示幕にテナントの店舗の名前を表示するような使用方法に好適である。
【００３２】
図１１は、本発明の第五の実施形態である幕式表示装置５０１の斜視図及び該斜視図に対応する六面図である。幕式表示装置５０１によれば、第一の実施形態と大部分が共通した構成であって、第一の実施形態と同様の効果を奏する。さらに、幕式表示装置５０１においては、発光表示部５４０の透光性部材５４２が立体的な箱状に構成されており、装置本体５０２の前面よりも前方に張り出した形状を呈する。幕式表示装置５０１の外観に起伏を設けることで、張り出している発光表示部５４０と、平坦かつ相対的に大きな透明板５０６に表示される表示領域との間で視線移動を促して、広告効果を高めることができる。
【００３３】
図１２は、第六の実施形態である幕式表示装置６０１の斜視図及び該斜視図に対応する六面図である。幕式表示装置６０１によれば、第一の実施形態と大部分が共通した構成であって、第一の実施形態と同様の効果を奏する。さらに、幕式表示装置６０１においては、副表示枠部６４１は、装置本体６０２の前面フレーム６０３から側面にまわり込むようにして刳り抜いて設けられている。さらに、中央フレーム６２５の側面にも副表示枠部６４４が刳り抜いて設けられており、後面フレーム６０４には、前面フレーム６０３と略鏡像対称を呈する形状で副表示部枠６４５が設けられている。これにより、中央フレーム６２５に前面フレーム６０３及び後面フレーム６０４を組み付けると、副表示枠部６４１，６４４，６４５は、全体として水平方向に連続した溝状を呈する。広告板６４２は、副表示枠部６４１，６４４，６４５に嵌め込まれると、装置本体６０２の表面と略面一となる形状であって、平面視において略コ字状を呈する。発光表示部６４０は装置本体６０２の前面から側面をまわり込んで背面まで連続する形状を呈する。これにより、発光表示部６４０の視認性を高めるとともに、幕式表示装置６０１の意匠性を高める。
【００３４】
図１３は、本発明の第七の実施形態である幕式表示装置７０１の斜視図及び該斜視図に対応する六面図である。幕式表示装置７０１によれば、第一の実施形態と大部分が共通した構成であって、第一の実施形態と同様の効果を奏する。さらに、幕式表示装置７０１においては、発光表示部７４０の透光性部材７４２は、装置本体７０２の前面よりも前方に張り出しており、副表示枠部７４１よりも上方に拡張された薄箱状を呈する。幕式表示装置７０１は、第一の実施形態とは異なり、装置本体７０２の内部に光源をもたず、透光性部材７４２の背面側に装着された平面発光部（図示しない）を光源として発光表示部７４０を照明する。平面発光部は、前方に向けて光を放射する多数のＬＥＤを搭載したＬＥＤ基板を内蔵する。これにより、発光表示部の表示内容を大きく表示して視認性を高める効果を奏するとともに、第五の実施形態と同様に、立体的な形状により視線移動を促す効果を奏する。
【００３５】
図１４は、本発明の第八の実施形態である幕式表示装置８０１の斜視図及び該斜視図に対応する六面図である。幕式表示装置８０１によれば、大部分が第一の実施形態と共通した構成であって、第一の実施形態と同様の効果を奏する。さらに、幕式表示装置８０１は、装置本体の側面に縦長の側面発光表示部８５０を備えている。発光表示部８４０は、第一の実施形態の発光表示部４０と同様の構成である。側面発光表示部８５０は、ＬＥＤを内蔵する平面的な発光装置を中央フレーム８２５の側面に設けたものである。これにより、透明板６を通して見える表示幕、発光表示部８４０及び側面発光表示部８５０の表示態様を組み合わせて、さらに多様な表示を行うことが可能である。
【００３６】
図１５は、第九の実施形態である幕式表示装置９０１の斜視図及び該斜視図に対応する六面図である。幕式表示装置９０１によれば、第一の実施形態と大部分が共通した構成であって、第一の実施形態と同様の効果を奏する。さらに、幕式表示装置９０１においては、発光表示部９４０の透光性部材９４２が立体的に構成されており、曲面的に前面に張り出した形状を呈する。また、透光性部材９４２は、装置本体９０２の横幅よりも幅広であり、端部が側方に突出する。これにより、幕式表示装置９０１の外観に起伏を設け、発光表示部９４０と透明板６に表示される表示領域との間で視線移動を促して広告効果を高める。
【００３７】
なお、本発明の実施形態は上記の構成に限定されるものではなく、以下に示すように種々に変更することができる。
【００３８】
すなわち、上記の実施形態では、副照明部４３として光源に蛍光灯を用いたものを示したが、これに限定されるものではなく、その他にも種々の光源を用いることができる。例えば、ＬＥＤ基板を装置本体に内蔵するようにしてもよいし、広告板４２の裏側に取り付けるようにしてもよい。また、ＬＥＤ等の光源と反射・屈折部材とによって構成された平面発光装置を光源としてもよい。平面的な薄型の光源を広告板４２の裏側に装着すると、発光表示部を全体的に薄く形成することができる。これにより、発光表示部の形状や配置の自由度を高めることができる。
【００３９】
さらに、上記実施形態においては、発光表示部が内照式看板である例を示したが、これに限定されるものではなく、発光表示部は内照式看板以外のものであってもよい。すなわち、ＬＥＤを縦横に多数配列したドット式電光表示器や、ネオン管または冷陰極管を用いて文字や絵を表現した発光式看板であってもよい。また、液晶ディスプレイやドットマトリクス式表示器を発光表示部に用いることもできる。
【符号の説明】
【００４０】
１…幕式表示装置、２…装置本体（筐体）、５…枠部（表示窓）、６…透明板（表示窓）、７…表示幕、１０，１１…軸（巻取軸）、１４，１５…モータ（駆動手段）、３２…制御装置、４０…発光表示部、Ｓ…表示領域
【図１】
2012068360.tif 000003
【図２】
2012068360.tif 000004
【図３】
2012068360.tif 000005
【図４】
2012068360.tif 000006
【図５】
2012068360.tif 000007
【図６】
2012068360.tif 000008
【図７】
2012068360.tif 000009
【図８】
2012068360.tif 000010
【図９】
2012068360.tif 000011
【図１０】
2012068360.tif 000012
【図１１】
2012068360.tif 000013
【図１２】
2012068360.tif 000014
【図１３】
2012068360.tif 000015
【図１４】
2012068360.tif 000016
【図１５】
2012068360.tif 000017